(57)【要約】【課題】２つの無線通信端末間の無線通信によるリンクを明確に表示することができる無線通信端末及び無線通信端末の制御方法を提供する。【解決手段】スマートパッド１において、スマートフォン３とＷＬＡＮ及びブルートゥースによってペアリング処理を実行し、ペアリングの完了後、リンク確立処理を実行する。そして、リンク確立後に、スマートフォン３との間で協調動作可能状態を示すピクト５２ｂを表示部１４に表示する。その後、スマートフォン３とブルートゥースによる接続が切断され、且つＷＬＡＮによる接続が維持されている場合はピクト５２ｂの表示を停止し、また、スマートフォン３とブルートゥースによる接続が維持され、且つＷＬＡＮによる接続が切断された場合はピクト５２ｂの表示を継続する。【選択図】図１
2012205251.tif 000002
【特許請求の範囲】
【請求項１】
第１の無線通信方式に準拠する第１の無線通信部と、第２の無線通信方式に準拠する第２の無線通信部と、表示部と、を備えた無線通信端末であって、
前記第１の無線通信部及び前記第２の無線通信部により、他の無線通信端末とのペアリング処理を実行し、
前記他の無線通信端末とのペアリングの完了後、前記第１の無線通信部及び前記第２の無線通信部により、前記他の無線通信端末とのリンク確立処理を実行し、
前記他の無線通信端末とのリンク確立後に、前記他の無線通信端末との間で協調動作可能状態を示すピクトを前記表示部に表示し、
前記第２の無線通信部による前記他の無線通信端末との接続が切断され且つ前記第１の無線通信部による前記他の無線通信端末との接続が維持されている場合は、前記表示部における前記ピクトの表示を停止し、
前記第２の無線通信部による前記他の無線通信端末との接続が維持されており且つ前記第１の無線通信部による前記他の無線通信端末との接続が切断された場合は、前記表示部における前記ピクトの表示を継続する無線通信端末。
【請求項２】
請求項１に記載の無線通信端末であって、
前記第１の無線通信部はデータ通信用であり、前記第２の無線通信部は制御用である無線通信端末。
【請求項３】
請求項１又は請求項２に記載の無線通信端末であって、
前記第１の無線通信方式はＷＬＡＮであり、前記第２の無線通信方式はブルートゥースである無線通信端末。
【請求項４】
第１の無線通信方式に準拠する第１の無線通信部と、第２の無線通信方式に準拠する第２の無線通信部と、表示部と、を備えた無線通信端末の制御方法であって、
前記第１の無線通信部及び前記第２の無線通信部により、他の無線通信端末とのペアリング処理を実行するステップと、
前記他の無線通信端末とのペアリングの完了後、前記第１の無線通信部及び前記第２の無線通信部により、前記他の無線通信端末とのリンク確立処理を実行するステップと、
前記他の無線通信端末とのリンク確立後に、前記他の無線通信端末との間で協調動作可能状態を示すピクトを前記表示部に表示するステップと、
前記第２の無線通信部による前記他の無線通信端末との接続が切断され且つ前記第１の無線通信部による前記他の無線通信端末との接続が維持されている場合は、前記表示部における前記ピクトの表示を停止するステップと、
前記第２の無線通信部による前記他の無線通信端末との接続が維持されており且つ前記第１の無線通信部による前記他の無線通信端末との接続が切断された場合は、前記表示部における前記ピクトの表示を継続するステップと、を備えた無線通信端末の制御方法。
【発明の詳細な説明】
【技術分野】
【０００１】
本発明は、ＷＬＡＮ（Wireless LAN：無線ＬＡＮ）などの無線通信機能を有する無線通信端末、該無線通信端末の制御方法に関する。
【背景技術】
【０００２】
近年、ＷＬＡＮ、Bluetooth（ブルートゥース、登録商標）などの無線通信機能を有する無線通信端末が普及してきている。例えば、携帯電話とＰＤＡ（Personal Digital Assistant）を融合させたスマートフォンと呼ばれるものや、スマートフォンより大型のスマートパッドと呼ばれるものがそれに該当する。
【０００３】
スマートフォンやスマートパッドは、スケジュール機能や個人情報管理機能などの多種多様な機能を有し、スマートフォンにおける携帯電話機能は主にセルラーの無線通信方式に準拠する無線通信に対応している。また、スマートフォンには、セルラーの無線通信方式に準拠する無線通信に対応するルータ（以下、“３Ｇルータ”と呼ぶ）として動作するものもある。なお、スマートパッドにもセルラーの無線通信方式に準拠する無線通信に対応する３Ｇルータとして動作するものもあるが、スマートフォンに比べて絶対数は少ない。
【０００４】
３Ｇルータを有しないスマートパッドでインターネットに接続する場合、ＷＬＡＮでアクセスポイント（以後、“第１のアクセスポイント”と呼ぶ）に接続する方法と、ＷＬＡＮで３Ｇルータを有するスマートフォンを第２のアクセスポイントとして、それに接続する方法がある。第１のアクセスポイントは有線でインターネットに接続されることから、第１のアクセスポイントに接続する場合、ＷＬＡＮの無線が届く通信圏内に限られる。第１のアクセスポイントに接続できる通信圏内の外に出たときには、３Ｇルータを有するスマートフォンを第２のアクセスポイントとしてそれに接続することで、継続してインターネットに接続することができる。
【０００５】
また、スマートフォンやスマートパッドには、ＷＬＡＮでアクセスポイントに接続したときや、ヘッドセットなどのブルートゥース機器を接続したときに、それぞれの接続を示すピクトを表示する機能を有するものもある。図８は、ピクト表示機能を有する従来のスマートパッド１００における表示の一例を示す図である。同図に示すように、スマートパッド１００がアクセスポイント１１０に接続した場合には、スマートパッド１００の表示部１０１にＷＬＡＮピクト２００が表示される。スマートパッド１００にヘッドセット１２０を接続した場合には、Bluetooth（登録商標）ピクト２０１が表示される。スマートパッド１００の使用者はこれらのピクト表示を見ることで、アクセスポイント１１０と接続状態にあるとか、ヘッドセット１２０と接続状態にあるとかを認識できる。
【０００６】
また、スマートパッドとスマートフォン同士がＷＬＡＮで接続される場合や、ブルートゥースで接続される場合、連動して、それぞれの機器にてＷＬＡＮピクト２００やBluetooth（登録商標）ピクト２０１が表示される。
【０００７】
他の機器が接続されたことを使用者に通知する類似技術として、例えば特許文献１で開示された発明（発明の名称：携帯端末及びサーバ装置）がある。この特許文献１で開示された発明では、発信先ユーザがＶｏＬＡＮ圏内にいるかどうかを示すアイコンと、発信先ユーザのＶＭＯ加入状態を示すアイコンとを表示するようにして、発信先ユーザが通話可能かどうか判断できるようにしている。
【０００８】
また、複数の機器間で連動動作する類似技術として、例えば、特許文献２で開示された発明（発明の名称：情報処理装置及び情報処理方法、情報処理システム、記録媒体、並びにプログラム）がある。この特許文献２で開示された発明では、通信手段を介して接続された複数の機器が協調動作しながら画像データを処理するようにしている。
【先行技術文献】
【特許文献】
【０００９】
【特許文献１】特開２００８−０２８７５１号公報
【特許文献２】特開２００４−０４０４９７号公報
【発明の概要】
【発明が解決しようとする課題】
【００１０】
しかしながら、スマートパッドとスマートフォンとを無線通信でリンクさせようとした場合、どういった表示をさせるか不明確であった。つまり、スマートパッドとスマートフォンとの間の無線通信によるリンクの表示の仕方が不明であった。このことはスマートパッドとスマートフォンに限らす他の無線通信端末同士においても、これらの端末間をリンクさせようとした場合にも通ずる。
【００１１】
本発明は、係る事情に鑑みてなされたものであり、２つの無線通信端末間の無線通信によるリンクを明確に表示することができる無線通信端末及び無線通信端末の制御方法を提供することを目的とする。
【課題を解決するための手段】
【００１２】
本発明の無線通信端末は、第１の無線通信方式に準拠する第１の無線通信部と、第２の無線通信方式に準拠する第２の無線通信部と、表示部と、を備えた無線通信端末であって、前記第１の無線通信部及び前記第２の無線通信部により、他の無線通信端末とのペアリング処理を実行し、前記他の無線通信端末とのペアリングの完了後、前記第１の無線通信部及び前記第２の無線通信部により、前記他の無線通信端末とのリンク確立処理を実行し、前記他の無線通信端末とのリンク確立後に、前記他の無線通信端末との間で協調動作可能状態を示すピクトを前記表示部に表示し、前記第２の無線通信部による前記他の無線通信端末との接続が切断され且つ前記第１の無線通信部による前記他の無線通信端末との接続が維持されている場合は、前記表示部における前記ピクトの表示を停止し、前記第２の無線通信部による前記他の無線通信端末との接続が維持されており且つ前記第１の無線通信部による前記他の無線通信端末との接続が切断された場合は、前記表示部における前記ピクトの表示を継続する。
【００１３】
上記構成によれば、他の無線通信端末と第１の無線通信部及び第２の無線通信部によってペアリング処理を実行し、ペアリングの完了後、リンク確立処理を実行する。そして、リンク確立後に、他の無線通信端末との間で協調動作可能状態を示すピクトを表示部に表示する。その後、他の無線通信端末と第２の無線通信部による接続が切断され、且つ第１の無線通信部による接続が維持されている場合はピクトの表示を停止し、また、他の無線通信端末と第２の無線通信部による接続が維持され、且つ第１の無線通信部による接続が切断された場合はピクトの表示を継続する。したがって、表示部に他の無線通信端末との間の協調動作可能状態がピクトとして表示されるので、他の無線通信端末との間の無線通信によるリンク状態の表示の仕方が明確となり、本発明の無線通信端末の使用者は１つのピクトのみ見れば、２つの無線通信端末間の協調動作が有効か無効かを極めて容易に判断することができる。
【００１４】
上記構成において、前記第１の無線通信部はデータ通信用であり、前記第２の無線通信部は制御用である。
【００１５】
上記構成において、前記第１の無線通信方式はＷＬＡＮであり、前記第２の無線通信方式はブルートゥースである。
【００１６】
本発明の無線通信端末の制御方法は、第１の無線通信方式に準拠する第１の無線通信部と、第２の無線通信方式に準拠する第２の無線通信部と、表示部と、を備えた無線通信端末の制御方法であって、前記第１の無線通信部及び前記第２の無線通信部により、他の無線通信端末とのペアリング処理を実行するステップと、前記他の無線通信端末とのペアリングの完了後、前記第１の無線通信部及び前記第２の無線通信部により、前記他の無線通信端末とのリンク確立処理を実行するステップと、前記他の無線通信端末とのリンク確立後に、前記他の無線通信端末との間で協調動作可能状態を示すピクトを前記表示部に表示するステップと、前記第２の無線通信部による前記他の無線通信端末との接続が切断され且つ前記第１の無線通信部による前記他の無線通信端末との接続が維持されている場合は、前記表示部における前記ピクトの表示を停止するステップと、前記第２の無線通信部による前記他の無線通信端末との接続が維持されており且つ前記第１の無線通信部による前記他の無線通信端末との接続が切断された場合は、前記表示部における前記ピクトの表示を継続するステップと、を備えた。
【００１７】
上記方法によれば、他の無線通信端末と第１の無線通信部及び第２の無線通信部によってペアリング処理を実行し、ペアリングの完了後、リンク確立処理を実行する。そして、リンク確立後に、他の無線通信端末との間で協調動作可能状態を示すピクトを表示部に表示する。その後、他の無線通信端末と第２の無線通信部による接続が切断され、且つ第１の無線通信部による接続が維持されている場合はピクトの表示を停止し、また、他の無線通信端末と第２の無線通信部による接続が維持され、且つ第１の無線通信部による接続が切断された場合はピクトの表示を継続する。したがって、表示部に他の無線通信端末との間の協調動作可能状態がピクトとして表示されるので、他の無線通信端末との間の無線通信によるリンク状態の表示の仕方が明確となり、本発明の無線通信端末の使用者は１つのピクトのみ見れば、２つの無線通信端末間の協調動作が有効か無効かを極めて容易に判断することができる。
【発明の効果】
【００１８】
本発明によれば、２つの無線通信端末間の無線通信によるリンクを明確に表示することができ、本発明の無線通信端末の使用者は当該表示を一目見るだけで２つの無線通信端末間の協調動作が有効か無効かを極めて容易に判断することができる。
【図面の簡単な説明】
【００１９】
【図１】本発明の一実施の形態に係る無線通信端末であるスマートパッドにおけるリンク状態の表示例を示す図
【図２】図１の無線通信端末であるスマートパッドにおけるペアリング及び機器間協調動作に関するピクトの例（１）を示す図
【図３】図１の無線通信端末であるスマートパッドにおけるペアリング及び機器間協調動作に関するピクトの例（２）を示す図
【図４】図１の無線通信端末であるスマートパッドの概略構成を示すブロック図
【図５】図１の無線通信端末であるスマートパッドの動作を説明するためのフローチャート
【図６】図１の他の無線通信端末であるスマートフォンの概略構成を示すブロック図
【図７】図１の他の無線通信端末であるスマートフォンの動作を説明するためのフローチャート
【図８】ピクト表示機能を有する従来のスマートパッドにおける表示の一例を示す図
【発明を実施するための形態】
【００２０】
以下、本発明を実施するための好適な実施の形態について、図面を参照して詳細に説明する。
【００２１】
図１は、本発明の一実施の形態に係る無線通信端末及び該無線通信端末とペアリングする他の無線通信端末のリンク時の様子を示す図である。同図において、本実施の形態の無線通信端末についてはスマートパッド１と呼び、他の無線通信端末についてはスマートフォン３と呼ぶこととする。
【００２２】
図１において、本実施の形態では、スマートパッド１とスマートフォン３のペアリングには、ＷＬＡＮ（ワイファイ（ＷｉＦｉ：Wireless Fidelity）とも呼ばれる）とブルートゥース（Ｂｌｕｅｔｏｏｔｈ（登録商標））を使用している。スマートパッド１とスマートフォン３をペアリングすることで、スマートパッド１とスマートフォン３が接続できる。それにより、スマートパッド１がスマートフォン３の３Ｇルータ機能を利用してインターネットに接続することができる。スマートパッド１及びスマートフォン３は、インターネットを利用したデータのやりとりに必要なプロトコル（例えばＴＣＰ／ＩＰ（Transmission Control Protocol／Internet Protocol）及びＨＴＴＰ（Hyper Text Transfer Protocol））を有している。
【００２３】
また、図１に示すように、スマートパッド１とスマートフォン３には、スマートパッド１及びスマートフォン３のそれぞれの表示部１４及び表示部３４の上端右側部分にＷＬＡＮピクト５０及びブルートゥースピクト５１が表示される。また、リンクが確立していれば、機器間協調動作可能状態ピクト５２ｂ表示される。図２は、ペアリング及び機器間協調動作に関するピクトの例（１）を示す図である。同図において、ペアリングが完了したときは、ペアリング済（対向機器登録済）ピクト５２ａが表示される。ペアリングが完了して協調動作可能状態になったときは、機器間協調動作可能状態ピクト５２ｂが表示される。また、図３は、ペアリング及び機器間協調動作に関するピクトの例（２）を示す図である。同図において、ペアリングが完了していないときは、ペアリング未ピクト５３ａが表示される。機器間協調動作がまだ確立していないときは、協調動作未ピクト５３ｂが表示される。機器間協調動作が可能な状態になったときは、機器間協調動作可能状態ピクト５３ｃが表示される。スマートパッド１及びスマートフォン３それぞれの使用者は、これらのピクトを見るだけでスマートパッド１とスマートフォン３の機器間協調動作が有効か無効かを判断することができる。
なお、機器間協調動作が可能な状態になったときに、協調動作未ピクト５３ｂを消去するようにしてもよい。なお、本実施の形態では、図２に示すピクトを用いることとする。
【００２４】
ここで、上述した協調動作の定義について説明する。
協調動作の定義：
（１）スマートパッド１側の操作でスマートフォン３側の機能を制御できる。
スマートフォン３側の所定の機能を起動する。例えばルータ機能が該当する。
（２）スマートフォン３側の状態が変化するとその旨をスマートパッド１側に通知する。
スマートフォン３側の状態が変化したときにその旨をスマートパッド１側に通知するか、あるいは定期的に（例えば１０秒ごとに）通知する。
スマートフォン３側の状態とは、（イ）電池残量、（ロ）３Ｇの圏内か圏外かの情報、（ハ）メールの着信などである。
【００２５】
次に、上述したスマートパッド１及びスマートフォン３それぞれの構成及び動作について詳細に説明する。
【００２６】
（スマートパッド１の構成）
図４は、スマートパッド１の概略構成を示すブロック図である。同図において、スマートパッド１は、制御部１０、記憶部１１、入力部１２、音声出力部１３、表示部１４、電源部１５、電源制御部１６、ＷＬＡＮ通信部１７及びＢＴ通信部１８を有している。電源部１５を除く残りの各部１０，１１，１２，１３，１４，１６，１７及び１８は内部バス２０で接続されている。
【００２７】
制御部１０は、スマートパッド１の各部を制御するものであり、記憶部１１に記憶された制御プログラムに従って動作する。記憶部１１は、制御部１０を動作させる制御プログラムの記憶の他、スマートパッド１で扱う各種データを記憶する。入力部１２は、タッチパネルであり、表示部１４の表示面の直上に配置され、使用者の手指がタッチした位置に対応する座標を座標情報として出力する。入力部１２から出力された座標情報は制御部１０に取り込まれる。なお、タッチパネルの方式としては、抵抗膜方式、表面弾性波方式、電磁誘導方式、静電容量方式等があり、スマートパッド１では主に静電容量方式が採用される。静電容量方式は、手指と導電膜との間における静電容量の変化を捉えて位置を検出する方式である。
【００２８】
音声出力部１３は、音声を出力するものであり、図示せぬスピーカを有する。音声出力部１３は、音声やミュージック等の音声ファイルの再生時には、音声ファイルから音声信号を生成してスピーカより出力する。表示部１４は、液晶あるいは有機ＥＬの表示パネルを有し、制御部１０からの表示に関する指示に従って情報を表示する。電源部１５は、電池（充電可能なものも含む）であり、装置各部に電力を供給する。電源制御部１６は、電源部１５の電池残量の監視や省電力制御を行う。ＷＬＡＮ通信部１７は、ＩＥＥＥ８０２．１１の無線通信方式に準拠する無線ＬＡＮ通信を行う。ＢＴ通信部１８は、ＩＥＥＥ８０２．１５．１の無線通信方式に準拠し、２．４５ＧＨｚ帯の電波を利用して最高２４Ｍｂｐｓの速度で短距離無線通信を行う。
【００２９】
（スマートパッド１の動作）
図５は、スマートパッド１の動作を説明するためのフローチャートである。同図において、スマートパッド１の制御部１０は、まずペアリング操作（初期登録）が行われたかどうか判定する（ステップＳ１）。スマートパッド１の使用者は、ペアリングしようとするときは、スマートパッド１とスマートフォン３のそれぞれに設けられているペアリング操作ボタン（共に図示略）を同時に操作することで、スマートパッド１とスマートフォン３のそれぞれにおいて機器間協調の開始トリガがかかり、ペアリング処理が実行される。機器間協調動作時には、ＷＬＡＮ通信部１７はデータ通信用として用いられ、ＢＴ通信部１８は制御用として用いられる。
【００３０】
制御部１０は、ペアリング操作が行われたと判断した場合（即ちステップＳ１で「ＹＥＳ」と判断した場合）、ＷＬＡＮ通信部１７を用いて対向機器の検索を行う（ステップＳ２）。ここでは対向機器はスマートフォン３であり、その検索が行われる。スマートパッド１のＷＬＡＮ通信部１７は、ＳＴＡ（Station）モードで起動して、検索パケット（Probe Request）を送信し、ネットワークの検索を行う。スマートパッド１のProbe Requestに対し、スマートフォン３のＷＬＡＮ通信部３８（後述する図６を参照）はProbe Responseパケットで応答することで、スマートパッド１のＷＬＡＮ通信部１７はスマートフォン３のＷＬＡＮ通信部３８が構成するネットワークを見つける。この動作は、ＩＥＥＥ８０２．１１で規定されているもので公知の技術である。
【００３１】
制御部１０は、対向機器の検索を行った後、ＷＬＡＮ通信部１７とＢＴ通信部１８を用いて接続情報の登録を行う（ステップＳ３）。接続情報の登録では、（１）スマートフォン３のＢｌｕｅｔｏｏｔｈ（登録商標）のＢＤ（Bluetooth（登録商標）Device）Ａｄｄｒｅｓｓ及びセキュリティ設定を登録する。（２）スマートフォン３のＳＳＩＤ（Service Set Identifier）及びセキュリティ設定を登録する。なお、ＳＳＩＤは、スマートフォン３のＷＬＡＮ通信部３８がＡＰモードで起動し構築するネットワークの識別子である。ステップＳ１からステップＳ３までの処理（接続情報の登録）を行うことで、スマートパッド１とスマートフォン３のペアリングが完了する。
【００３２】
制御部１０は、接続情報の登録を行った後、対向機器登録済ピクト（または“ペアリング済ピクト”、図２参照）５２ａを表示する（ステップＳ４）。対向機器登録済ピクト５２ａを表示した後、対向機器とのリンクを確立する（ステップＳ５）。リンクの確立においては、スマートフォン３に対して接続要求のパケットを送信し、この接続要求に対してスマートフォン３から接続可のレスポンスが返ってくる。これにより、対向機器とのリンクが確立する。リンクが確立すると、制御部１０は、機器間協調動作可能状態ピクト５２ｂ（図２参照）を表示する（ステップＳ７）。一方、制御部１０は、ステップＳ１の判定において、ペアリング操作が行われてないと判断すると、登録済み対象機器の検索を行い（ステップＳ６）、その後にステップＳ５の処理に移行する。
【００３３】
制御部１０は、ステップＳ７の処理を行った後、ブルートゥースの機器間接続状態が接続から切断かどうか判定する（ステップＳ８）。即ち、対向機器との接続が切断されたかどうか判定する。この判定において、切断されたと判断した場合（ステップＳ８の判定で「ＹＥＳ」の場合）、機器間協調動作可能状態ピクト５２ｂの表示を停止する（ステップＳ９）。次いで、対向機器登録済ピクト５２ａを表示する（ステップＳ１０）。この対向機器登録済ピクト５２ａを表示する処理を行った後、ステップＳ１に戻る。
【００３４】
ステップＳ８の判定において、ブルートゥースの機器間接続状態が切断でない場合（ステップＳ８の判定で「ＮＯ」の場合）、ＷＬＡＮの機器間接続状態接続が切断かどうか判定する（ステップＳ１１）。この判定において、切断である場合（ステップＳ１１の判定で「ＹＥＳ」の場合）、機器間協調動作可能状態ピクト５２ｂの表示を継続し（ステップＳ１２）、ステップＳ１３へ移行する。これに対して、ステップＳ１１の判定において、ＷＬＡＮの機器間接続状態接続が切断でない場合（ステップＳ１１の判定で「ＮＯ」の場合）、ステップＳ１２の処理を行わず、ステップＳ１３の処理へ移行する。ステップＳ１２の処理を行ってステップＳ１３に移行するか、ステップＳ１２の処理を行うことなくステップＳ１３に移行すると、機器間協調動作可能状態とし（ステップＳ１３）、ステップＳ８に戻る。
【００３５】
このようにスマートパッド１では、スマートフォン３とのペアリングが完了し、接続情報の登録を行った後、対向機器登録済ピクト５２ａを表示して、スマートフォン３とのリンクが確立した後、機器間協調動作可能状態ピクト５２ｂを表示する。その後、ブルートゥースの機器間接続状態が切断であれば、機器間協調動作可能状態ピクト５２ｂの表示を停止し、対向機器登録済ピクト５２ａを表示する。一方、ＷＬＡＮの機器間接続状態が切断であれば、機器間協調動作可能状態ピクト５２ｂの表示を継続する。
【００３６】
（スマートフォン３の構成）
図６は、スマートフォン３の概略構成を示すブロック図である。同図において、スマートフォン３は、制御部３０、記憶部３１、入力部３２、音声入出力部３３、表示部３４、電源部３５、電源制御部３６、３Ｇ通信部３７、ＷＬＡＮ通信部３８及びＢＴ通信部３９を有している。電源部３５を除く残りの各部３０，３１，３２，３３，３４，３６，３７，３８及び３９は内部バス４０で接続されている。
【００３７】
制御部３０は、スマートフォン３の各部を制御するものであり、記憶部３１に記憶された制御プログラムに従って動作する。記憶部３１は、制御部３０を動作させる制御プログラムの記憶の他、スマートフォン３で扱う各種データを記憶する。入力部３２は、タッチパネルであり、表示部３４の表示面の直上に配置され、使用者の手指がタッチした位置に対応する座標を座標情報として出力する。入力部３２から出力された座標情報は制御部３０に取り込まれる。なお、タッチパネルの方式としては、抵抗膜方式、表面弾性波方式、電磁誘導方式、静電容量方式等があり、スマートフォン３では主に静電容量方式が採用される。静電容量方式は、手指と導電膜との間における静電容量の変化を捉えて位置を検出する方式である。
【００３８】
音声入出力部３３は、３Ｇ無線通信時の音声の入出力を行うものであり、図示せぬスピーカ及びマイクを有し、受信した通信相手の音声をスピーカから出力し、スマートフォン３の使用者の音声をマイクより入力する。また、音声入出力部３３は、音声やミュージック等の音声ファイルの再生時には、音声ファイルから音声信号を生成してスピーカより出力する。表示部３４は、液晶あるいは有機ＥＬの表示パネルを有し、制御部３０からの表示に関する指示に従って情報を表示する。電源部３５は、電池（充電可能なものも含む）であり、装置各部に電力を供給する。電源制御部３６は、電源部３５の電池残量の監視や省電力制御を行う。３Ｇ通信部３７は、第３世代の携帯電話方式による無線通信を行う。ＷＬＡＮ通信部３８は、ＩＥＥＥ８０２．１１の無線通信方式に準拠する無線ＬＡＮ通信を行う。ＢＴ通信部３９は、ＩＥＥＥ８０２．１５．１の無線通信方式に準拠し、２．４５ＧＨｚ帯の電波を利用して最高２４Ｍｂｐｓの速度で短距離無線通信を行う。
【００３９】
（スマートフォン３の動作）
図７は、スマートフォン３の動作を説明するためのフローチャートである。同図において、スマートフォン３での処理は、上述したスマートパッド１での処理と略同じであり、異なる処理についてのみ説明する。図５に示したスマートパッド１のステップＳ２，Ｓ３の処理が、スマートフォン３では、ステップＳ２０，Ｓ２１となる。スマートパッド１では、ステップＳ２でＷＬＡＮ通信部１７を用いて対向機器の検索を行ったが、スマートフォン３では、ステップＳ２０で、ＢＴ通信部３９を用いて対向機器の検索を行う。ここでは対向機器はスマートパッド１であり、その検索が行われる。スマートフォン３のＢＴ通信部３９は、マスターモードで起動して、問い合わせパケットを送信し、対向機器の検索を行う。スマートフォン３からの問い合わせパケットに対し、スマートパッド１のＢＴ通信部１８が問い合わせパケット応答を返すことで、スマートフォン３のＢＴ通信部３９は、スマートパッド１の存在を見つけることができる。本動作は、Ｂｌｕｅｔｏｏｔｈ（登録商標）で規定されているもので公知の技術である。
なお、スマートパッド１がマスターモードで起動し、スマートフォン３を検索するようにしてもよい。
【００４０】
また、スマートパッド１では、ステップＳ３でＷＬＡＮ通信部１７とＢＴ通信部１８を用いて接続情報の登録を行ったが、スマートフォン３では、ステップＳ２１で、ＢＴ通信部３９を用いて接続情報の登録を行う。接続情報の登録では、スマートパッド１のＢｌｕｅｔｏｏｔｈ（登録商標）のＢＤ（Bluetooth（登録商標）Device）Ａｄｄｒｅｓｓ及びセキュリティ設定を登録する。以上、スマートパッド１と異なる処理である。
【００４１】
このようにスマートフォン３では、スマートパッド１とのペアリングが完了し、接続情報の登録を行った後、対向機器登録済ピクト５２ａを表示して、スマートパッド１とのリンクが確立した後、機器間協調動作可能状態ピクト５２ｂを表示する。その後、ブルートゥースの機器間接続状態が切断であれば、機器間協調動作可能状態ピクト５２ｂの表示を停止し、対向機器登録済ピクト５２ａを表示する。一方、ＷＬＡＮの機器間接続状態が切断であれば、機器間協調動作可能状態のピクト５２ｂ表示を継続する。
【００４２】
このように本実施の形態のスマートパッド１によれば、スマートフォン３とＷＬＡＮ及びブルートゥースによってペアリング処理を実行し、ペアリングの完了後、リンク確立処理を実行する。そして、リンク確立後に、スマートフォン３との間で協調動作可能状態を示すピクト５２ｂを表示部１４に表示する。その後、スマートフォン３とブルートゥースによる接続が切断され、且つＷＬＡＮによる接続が維持されている場合はピクト５２ｂの表示を停止し、また、スマートフォン３とブルートゥースによる接続が維持され、且つＷＬＡＮによる接続が切断された場合はピクト５２ｂの表示を継続する。したがって、表示部１４にスマートフォン３との間の協調動作可能状態がピクトとして表示されるので、スマートフォン３との間の無線通信によるリンク状態の表示の仕方が明確となり、スマートパッド１の使用者は１つのピクトのみ見れば、スマートフォン３との間の協調動作が有効か無効かを極めて容易に判断することができる。
【００４３】
また、本実施の形態において、協調動作以外の目的でブルートゥースによる接続がなされる機器（たとえばヘッドセット）の接続状態を示すピクト５１（ブルートゥースピクト）とは別にブルートゥースによる機器間協調動作が有効かどうかを示すピクト５２ｂ（機器間協調動作可能状態ピクト）を表示している。仮に、ブルートゥースの接続状態を示す従来のピクトのみ表示していたのでは、協調動作が有効なのか、それとも協調動作が無効なのか（協調動作以外を目的とする別の機器が接続されているだけなのか）、を使用者が判別することができない。本実施の形態によれば、機器間協調動作が有効か無効かを使用者がピクトを見ただけで判断することができる。
【００４４】
なお、本実施の形態では、スマートパッド１とスマートフォン３との間の機器間協調動作を、図２に示すピクトで表示するようにしたが、以下に示すように表示するようにしてもよい。
１）色の違いで表示するピクト
例えば、グレー：ペアリング未、赤：ペアリング済、緑：協調動作可能状態
２）できないことを示すピクト
例えば、前述した図３に示すように、ペアリング未→ペアリングＮＧ、ペアリング済→協調動作ＮＧ
３）音による、ペアリング済、協調動作確立の状態通知
例えば、状態が変化したら音の長さを変える。
４）振動による、ペアリング済、協調動作確立の状態通知
例えば、状態が変化したら振動の長さを変える。
５）ＬＥＤ（発光ダイオード）による、ペアリング済、協調動作確立の状態通知
例えば、異なる色のＬＥＤを点灯させる。
６）ポップアップによるダイアログ表示
例えば、協調動作確立の状態などの表示。
【００４５】
また、本実施の形態の図５又は図７で示した各処理をプログラムで記述して、磁気ディスク、光ディスク、光磁気ディスク、半導体メモリ等の記憶媒体に格納して配布することも可能である。
【産業上の利用可能性】
【００４６】
本発明は、２つの無線通信端末間の無線通信によるリンクを明確に表示することができるといった効果を有し、スマートパッドやスマートフォンと呼ばれる無線通信端末への適用が可能である。
【符号の説明】
【００４７】
１  スマートパッド
３  スマートフォン
１０，３０  制御部
１１，３１  記憶部
１２，３２  入力部
１３  音声出力部
１４，３４  表示部
１５，３５  電源部
１６，３６  電源制御部
１７，３８  ＷＬＡＮ通信部
１８，３９  ＢＴ通信部
２０，４０  内部バス
３３  音声入出力部
３７  ３Ｇ通信部
５０  ＷＬＡＮピクト
５１  ブルートゥースピクト
５２ａ  対向機器登録済（ペアリング済）ピクト
５２ｂ  機器間協調動作可能状態ピクト
５３ａ  ペアリング未ピクト
５３ｂ  協調動作未ピクト
５３ｃ  機器間協調動作可能状態ピクト
【図１】
2012205251.tif 000003
【図２】
2012205251.tif 000004
【図３】
2012205251.tif 000005
【図４】
2012205251.tif 000006
【図５】
2012205251.tif 000007
【図６】
2012205251.tif 000008
【図７】
2012205251.tif 000009
【図８】
2012205251.tif 000010